(57)【要約】【課題】ボビン用の支持軸の方向を必要に応じて転換できるようにする。【解決手段】ワイヤソー２用のワイヤ３を巻き付け状態として蓄えるボビン４を機台５上で支持するワイヤボビン支持装置１において、機台５に対して旋回可能な状態として取り付けられた旋回軸６と、この旋回軸６に取り付けられ、一端を自由端としてボビン４を回転自在に支持するボビン支持軸７と、旋回軸６に取り付けられ、ボビン支持軸７によって支持されているボビン４を回転させる駆動モータ８とを具備し、ボビン４の交換・使用済みワイヤ３の廃却に際して、旋回軸６を所定角度に旋回させることによって、ボビン支持軸７の自由端を機台５に対し外向き状態に設定して、外向き状態のボビン支持軸７の自由端側からボビン４を着脱する。【選択図】図１
2011101944.tif 000002
【特許請求の範囲】
【請求項１】
ワイヤソー用のワイヤを巻き付け状態として蓄えるボビンをワイヤソーの機台上で支持する装置において、
ワイヤソーの機台に対して旋回可能な状態として取り付けられる旋回軸と、この旋回軸に取り付けられ、一端を自由端としてボビンを回転自在に支持するボビン支持軸と、旋回軸に取り付けられ、ボビン支持軸によって支持されているボビンを回転させる駆動モータとを具備し、
ボビンの交換・使用済みワイヤの廃却に際して、旋回軸を所定角度に旋回させることによって、ボビン支持軸の自由端を前記機台に対し外向き状態に設定し、外向き状態のボビン支持軸の自由端側からボビンを着脱する、ことを特徴とするワイヤボビン支持装置。
【請求項２】
旋回軸にボビン支持軸を回転自在に支持すると共に、旋回軸に駆動モータを取り付け、駆動モータのモータ出力軸とボビン支持軸とを回転伝達手段により連結する、ことを特徴とする請求項１記載のワイヤボビン支持装置。
【請求項３】
旋回軸にボビン支持軸を回転自在に支持すると共に、ボビン支持軸の他端部に駆動モータのモータ出力軸を直接に連結する、ことを特徴とする請求項１記載のワイヤボビン支持装置。
【請求項４】
ボビン支持軸の自由端を機台に対し外向き状態に設定したとき、ボビンの重心を前記機台の外形端面より外側に位置させる、ことを特徴とする請求項１、請求項２または請求項３記載のワイヤボビン支持装置。
【請求項５】
請求項１、請求項２、請求項３または請求項４のワイヤボビン支持装置をワイヤソーの機台上に少なくとも一対で設置し、一方のワイヤボビン支持装置を送り出し用とし、他方のワイヤボビン支持装置を巻き取り用とし、
ボビンの交換・使用済みワイヤの廃却に際して、前記旋回軸を所定角度に旋回させることによって、ボビン支持軸の自由端を前記機台に対し外向き状態に設定し、外向き状態のボビン支持軸の自由端側からボビンを着脱する、ことを特徴とするワイヤソーの送り出し・巻き取り装置。
【請求項６】
ワイヤの送り出し・巻き取り時に、前記各ワイヤボビン支持装置のボビン支持軸を異なる向きに設定しておく、ことを特徴とする請求項５記載のワイヤソーの送り出し・巻き取り装置。
【請求項７】
ワイヤの送り出し・巻き取り時に前記各ワイヤボビン支持装置のボビン支持軸を同じ向きに設定しておく、ことを特徴とする請求項５記載のワイヤソーの送り出し・巻き取り装置。
【請求項８】
旋回軸を垂直方向に設ける、ことを特徴とする請求項５、請求項６、請求項７記載のワイヤソーの送り出し・巻き取り装置。
【請求項９】
旋回軸を水平方向に設ける、ことを特徴とする請求項５、請求項６または請求項７記載のワイヤソーの送り出し・巻き取り装置。
【請求項１０】
ボビン支持軸の自由端を機台に対し外向き状態に設定したとき、ボビンの重心を前記機台の外形端面より外側に位置させる、ことを特徴とする請求項５、請求項６、請求項７、請求項８または請求項９記載のワイヤソーの送り出し・巻き取り装置。
【発明の詳細な説明】
【技術分野】
【０００１】
本発明は、ワイヤソーにおいて、ワイヤの送り出し用のボビンおよび巻き取り用のボビンを方向転換可能な状態として支持する装置に関する。
【背景技術】
【０００２】
ワイヤソーにおいて、ワイヤソーのメインローラに対するワイヤの送り出し用のボビンおよび巻き取り用のボビンの支持形態として、ボビンの立て置き（垂直置き）と横置き（水平置き）とがある。
【０００３】
特許文献１に見られるように、多くのボビンは立て置き型として設置されている。立て置き型のボビンでは、重力的には安定する反面、ボビンの着脱に際して、垂直方向の支持軸に対して重いボビンを重力に逆らう垂直方向に移動させなければならない。
【０００４】
これに対し、横置き型のボビンでは、ボビンの着脱に際して、水平な支持軸にボビンを水平方向に移動させるため、ボビンを重力に逆らう方向に移動させる必要はなく、また、搬送装置によるボビンの搬送時の姿勢も一般に水平方向であることから、ボビンの取り付け・取り外し作業は、立て置き型に比較して容易に行えるという利点もある。
【０００５】
横置き型のボビンでは、同じく水平に置かれたメインローラに対するワイヤの案内ローラも少なくでき、ワイヤの案内経路中に必要な各種の装置、例えばトラバース装置やテンション付与装置も合理的に配置できる。これらのことから、ボビンの交換や、使用済ワイヤの廃却、さらに各種の装置の合理的な配置のために、ボビンを立て置き型ではなく、横置き型とする場合が増えている。
【０００６】
また、横置き型にするにしても、ボビン支持用の水平な支持軸の開放端つまりボビンの取り外し・取り付け側の端部は、ワイヤソーの側面から外向きになっていなければ、作業勝手は良くない。しかし、ワイヤソーの機械の構成上、水平方向の支持軸の開放端を常に外側に向けることができないこともある。
【先行技術文献】
【特許文献】
【０００７】
【特許文献１】特開平１１−７７６６３（特許第３１３７６００号）公報
【発明の概要】
【発明が解決しようとする課題】
【０００８】
したがって、本発明の課題は、ワイヤソーのワイヤボビンを支持する装置において、必要に応じて、ボビン用の支持軸の向きを転換できるようにすることである。
【課題を解決するための手段】
【０００９】
上記の課題のもとに、本発明は、ワイヤソー用のワイヤを巻き付け状態として蓄えるボビンをワイヤソーの機台上で支持するワイヤボビン支持装置において、ワイヤソーの機台に対して旋回可能な状態として取り付けられる旋回軸と、この旋回軸に取り付けられ、一端を自由端としてボビンを回転自在に支持するボビン支持軸と、旋回軸に取り付けられ、ボビン支持軸によって支持されているボビンを回転させる駆動モータとを具備し、ボビンの交換・使用済みワイヤの廃却に際して、旋回軸を所定角度に旋回させることによって、ボビン支持軸の自由端を前記機台に対し外向き状態に設定し、外向き状態のボビン支持軸の自由端側からボビンを着脱できるようにしている（請求項１）。
【００１０】
本発明は、前記ワイヤボビン支持装置において、旋回軸にボビン支持軸を回転自在に支持すると共に、旋回軸に駆動モータを取り付け、駆動モータのモータ出力軸とボビン支持軸とを回転伝達手段により連結している（請求項２）。
【００１１】
本発明は、前記ワイヤボビン支持装置において、旋回軸にボビン支持軸を回転自在に支持すると共に、ボビン支持軸の他端部に駆動モータのモータ出力軸を直接に連結している（請求項３）。
【００１２】
さらに、本発明は、前記ワイヤボビン支持装置において、ボビン支持軸の自由端を機台に対し外向き状態に設定したとき、ボビンの重心を前記機台の外形端面より外側に位置させている（請求項４）。
【００１３】
そして、本発明は、前記ワイヤボビン支持装置をワイヤソーの機台上に少なくとも一対で設置し、一方のワイヤボビン支持装置を送り出し用とし、他方のワイヤボビン支持装置を巻き取り用として、ワイヤソーの送り出し・巻き取り装置を構成し、ボビンの交換・使用済みワイヤの廃却に際し、前記旋回軸を所定角度に旋回させることによって、ボビン支持軸の自由端を前記機台に対し外向き状態に設定し、外向き状態のボビン支持軸の自由端側からボビンを着脱するようにしている（請求項５）。
【００１４】
本発明は、前記ワイヤソーの送り出し・巻き取り装置において、ワイヤの送り出し・巻き取り時に、前記各ワイヤボビン支持装置のボビン支持軸を異なる向きに設定する（請求項６）か、または前記各ワイヤボビン支持装置のボビン支持軸を同じ向きに設定している（請求項７）。
【００１５】
また、本発明は、前記ワイヤソーの送り出し・巻き取り装置において、旋回軸を垂直方向に設ける（請求項８）か、または旋回軸を水平方向に設けている（請求項９）。
【００１６】
さらに、本発明は、前記ワイヤソーの送り出し・巻き取り装置において、ボビン支持軸の自由端を機台に対し外向き状態に設定したとき、ボビンの重心を前記機台の外形端面より外側に位置させている（請求項１０）。
【発明の効果】
【００１７】
本発明に係るワイヤボビン支持装置によると、ボビンの着脱に際して、ボビン支持軸の自由端が機台に対し外向き状態にできるため、ボビン支持軸に対するボビンの挿入や抜き取りは、機外位置からリフターなどによりフオークの単一方向の運動によって容易に行えるほか、ボビン支持軸が外向き状態で水平方向に設定されているならば、ボビンの挿入や抜き取りは、ボビンの水平移動つまり重力の作用方向に荷重の変化のない状態で行える（請求項１）。
【００１８】
また、前記ワイヤボビン支持装置において、旋回軸に対してボビン支持軸と駆動モータとが異なる空間位置に支持されているから、ボビン支持軸の周りが複雑にならず、機台の上空間や下空間が有効に利用できる（請求項２）。さらに、ワイヤボビン支持装置において、ボビン支持軸の片持ち側の端部に駆動モータのモータ出力軸が直結されていると、旋回軸の荷重バランスがよくなる点で有利である（請求項３）。
【００１９】
前記ワイヤボビン支持装置において、ボビン支持軸の自由端が機台に対し外向き状態に設定されたとき、ボビンの少なくとも重心が前記機台の外形端面より外側に位置しているから、ボビン着脱時にリフターなどがつかみ易く、これによって安定した運搬が可能となる（請求項４）。
【００２０】
そして、本発明のワイヤソーの送り出し・巻き取り装置によると、前記ワイヤボビン支持装置自体の効果、すなわちボビンの着脱に際して、ボビン支持軸の自由端が機台に対し外向き状態にできるため、ボビン支持軸に対するボビンの挿入や抜き取りは機外位置からリフターなどによりフオークの単一方向の運動によって容易に行えるほか、ボビン支持軸が外向き状態で水平方向に設定されているならば、ボビンの挿入や抜き取りは、ボビンの水平移動、つまり重力の作用方向に荷重の変化のない状態で行えるという効果のほかに、送り出し用ボビンおよび巻き取り用ボビンがワイヤソーの機台上で併置されているため、送り出し用ボビンおよび巻き取り用ボビンの着脱に際して、それらの隣接位置で必要な着脱作業ができ、作業能率が向上する（請求項５）。
【００２１】
また、前記ワイヤソーの送り出し・巻き取り装置において、ワイヤの送り出し・巻き取り時に前記各ワイヤボビン支持装置のボビン支持軸が異なる向き、または同じ向きに設定できるから、機台上の各種装置の配置や、ボビンの着脱のための作業空間の状況に応じ、その作業空間に適合するように、ボビン支持軸の転換方向が自由に設定できる（請求項６および請求項７）。
【００２２】
前記ワイヤソーの送り出し・巻き取り装置において、旋回軸は、ボビンの設置条件や設置状況に応じて、垂直方向または水平方向に設けられるため、ボビンの使用時に横置き、あるいは立て置きとなる支持構造に設定できる（請求項８および請求項９）。
【００２３】
前記ワイヤソーの送り出し・巻き取り装置において、ボビン支持軸の自由端が機台に対し外向き状態に設定されたとき、ボビンの少なくとも重心が前記機台の外形端面より外側に位置しているから、ボビン着脱時にリフターなどがつかみ易く、安定した運搬が可能となる（請求項１０）。
【図面の簡単な説明】
【００２４】
【図１】本発明に係るワイヤボビン支持装置の平面図である。
【図２】本発明に係るワイヤボビン支持装置の垂直断面図である。
【図３】本発明に係るワイヤボビン支持装置の正面図である。
【図４】本発明に係る他のワイヤボビン支持装置の側面図である。
【図５】本発明に係るワイヤソーの送り出し・巻き取り装置において、ワイヤボビン支持装置のボビン支持軸を異なる向きに設置した例の平面図である。
【図６】本発明に係るワイヤソーの送り出し・巻き取り装置において、ワイヤボビン支持装置のボビン支持軸を異なる向きに設置した他の例の平面図である。
【図７】本発明に係るワイヤソーの送り出し・巻き取り装置において、ワイヤボビン支持装置のボビン支持軸を同じ向きに設置した例の平面図である。
【図８】本発明に係るワイヤソーの送り出し・巻き取り装置において、ワイヤボビン支持装置のボビン支持軸を同じ向きに設置した他の例の平面図である。
【図９】本発明に係るワイヤソーの送り出し・巻き取り装置において、ワイヤボビン支持装置を上下の位置に設置した他の例の側面図である。
【発明を実施するための形態】
【００２５】
図１ないし図３は、本発明に係るワイヤボビン支持装置１を示している。これらの図において、ワイヤボビン支持装置１は、ワイヤソー２のワイヤ３を巻き付け状態として蓄えるボビン４をワイヤソー２の機台５上で支持する装置であって、機台５に対して旋回可能な状態として、例えば垂直方向、すなわち垂直ないし垂直に近い方向に取り付けられた旋回軸６と、この旋回軸６に端部で片持ち状態として水平方向、すなわち水平ないし水平に近い方向に取り付けられ、一端を自由端としてボビン４を回転自在に支持するボビン支持軸７と、旋回軸６に取り付けられ、ボビン支持軸７によって支持されているボビン４を回転させる駆動モータ８とを具備している。
【００２６】
図示の例において、旋回軸６は、一例として筒状であり、環状溝の軸部９で機台５の水平な部分の軸受け部３５に対し垂直な軸線を中心として旋回自在に取り付けられており、上側面部分に取り付けボルト２７により取り付けられた筒状の軸受けハウジング１１を支持し、また、機台５よりも下方の平坦な側面部分で板状のモータベース１２を保持している。なお、旋回軸６は、旋回軸６と一体で孔またはスリット付きの固定片２８と、固定片２８のスリットまたは孔内から機台５のねじ孔３６にねじ込んだ固定ボルト２９とによって機台５に対して回り止めされている。
【００２７】
軸受けハウジング１１は、内部の複数のボールベアリング１３によって水平なボビン支持軸７を片持ちで水平な状態として回転自在に支持している。なお、ボビン支持軸７は、ボビン４を回転自在に支持するために、片持ち側端部で旋回軸６の内部に突出しており、また軸受けハウジング１１から外部に突出している部分で受けフランジ１７を有し、また先端つまり一端の自由端で押さえボルト１９、必要に応じて押さえワッシャ２０、押さえスプリング１８を有している。
【００２８】
また、板状のモータベース１２は、旋回軸６の平坦な部分に対して、モータベース１２に形成した上下方向の４個の長孔２１、および各長孔２１から旋回軸６の平坦な部分にねじ込んだ案内ボルト２２によって上下動自在に支持されている。このモータベース１２の位置は、旋回軸６に取り付けたホルダ２３によって上下方向の向きで回転自在に取り付けられた調節ねじ２４と、モータベース１２に取り付けられ、調節ねじ２４にねじ込まれた調節ナット２５とによって、上下方向に位置調節できるようになっている。
【００２９】
そして、駆動モータ８は、モータベース１２によって旋回軸６に取り付けられている。駆動モータ８のモータ出力軸２６は、ボビン支持軸７によって支持されているボビン４を回転させるために、旋回軸６の内部に突出し、モータ出力軸２６に取り付けられたタイミングプーリ１４、ボビン支持軸７に取り付けられたタイミングプーリ１５、およびタイミングプーリ１４、１５に巻き掛けられたタイミングベルト１６によって、ボビン支持軸７を駆動する。
【００３０】
タイミングプーリ１４、１５およびタイミングベルト１６は、回転伝達手段を構成している。この回転伝達手段は、原動側と従動側とで正確な回転の同期をとれるならば、その他の回転伝達手段、例えばチエーン、チエーンホイール、ギヤ列などにより構成することもできる。
【００３１】
そして、ワイヤボビン支持装置１は、ボビン４に巻き付け状態で蓄えられているワイヤ３をワイヤソー２に送り出すために、送り出し用として機台５に設置されるか、またはワイヤソー２で使用したワイヤ３をボビン４に巻き取るために、巻き取り用として機台５に設置される。既述のように、この例によると、旋回軸６は、機台５の上面に対し垂直方向として取り付けられるため、ボビン支持軸７は、旋回軸６に対し直角として水平方向に取り付けられる。
【００３２】
ボビン４は、片持ち状態のボビン支持軸７に対して、その自由端側から挿入され、ボビン支持軸７に押さえワッシャー２０、押さえスプリング１８を順次に挿入してから、押さえボルト１９をボビン支持軸７の先端のねじの部分にねじ込むことにより抜け止めされ、ボビン支持軸７とともに、共回りできる状態として支持される。
【００３３】
ワイヤ３の送り出しまたは巻き取り時に、駆動モータ８は、張力制御によって、ワイヤ３の張力の増減に応じて、ボビン支持軸７を回転させ、ボビン支持軸７と共にボビン４を送り出し方向または巻き取り方向に回転させて、ワイヤ３を目標の張力値に維持しながらワイヤ３をワイヤソー２の切断部に送り出すか、またはワイヤソー２の切断部のワイヤ３を巻き取っていく。
【００３４】
ボビン４の交換・使用済みワイヤ３の廃却のときに、作業員は、旋回軸６の固定片２８から固定ボルト２９を外した後に、旋回軸６を所定角度に旋回させることにより、図１に想像線で例示するように、ボビン支持軸７の自由端を機台５に対し外向き、すなわち機台５の外形面に対して直角ないし直角に近い状態に設定し、外向きのボビン支持軸７の自由端から押さえボルト１９、押さえスプリング１８や押さえワッシャー２０を取り外してから、ボビン支持軸７の自由端からボビン４を着脱する。
【００３５】
このボビン４の着脱に際して、ボビン支持軸７の自由端が水平で外向き状態となっているため、ボビン支持軸７に対するボビン４の挿入や抜き取りは、ボビン４の水平な移動、つまり重力の作用方向に変化のない状態で、機外位置からリフターなどのフオークの水平な単一方向の運動によって容易に行える。
【００３６】
特に、ボビン支持軸７の自由端が機台５に対し外向き状態に設定したときに、ボビン４の重心が機台５の外形端面より外側に位置しているか、またはボビン４の全部が機台５の外形端面より外側に位置しておれば、ボビン４の着脱に際して、すくい上げ式または吊り上げ式のリフターなどはボビン４の重心を機外から重心位置をつかみ易く、安定に支えられる。これによってボビン４の着脱や運搬は能率良く、安定に行えるようになる。
【００３７】
なお、図２に想像線で示すように、駆動モータ８は、旋回軸６に対してボビン支持軸７の下側でなく、ボビン支持軸７と異なる側に取り付けることもでき、また、ボビン支持軸７の片持ち側端部に配置し、そのモータ出力軸２６を軸継ぎ手などを用いて、旋回軸６に直接に連結することもできる。このようにボビン支持軸７と駆動モータ８とが旋回軸６を挟んで対称に設置されるならば、旋回軸６の荷重バランスがよくなる点で有利である。このような駆動モータ８の位置は、旋回軸６を旋回させるときに、駆動モータ８の移動空間や他の部品との干渉の有無などを考慮して決定される。
【００３８】
図１ないし図３の例において、旋回軸６は、機台５に対して垂直方向に取り付けられており、ボビン支持軸７は、旋回の前後において水平となっているが、図４の例のように、旋回軸６は、水平方向として機台５の垂直な側面部分に水平ないし水平に近い軸線を中心として旋回自在に取り付けることもできる。
【００３９】
図４のような横方向の取り付け態様によると、ボビン支持軸７は、ワイヤ３の送り出しおよび巻き取りのときには、通常、垂直方向すなわち垂直ないし垂直に近い方向に設定され、ボビン４の交換・使用済みワイヤ３の廃却のときには、旋回軸６を中心とする例えば４５度ないし９０度の回転によって、傾斜方向ないし水平方向に設定される。このときボビン支持軸７は、その自由端を機台５の例えば後方に対し外向き状態となる。なお、図示しないが、４５度、その他の傾斜方向の設定のために、４５度、その他の傾斜方向に対応する位置にも、固定ボルト２９のねじ込みのためにねじ孔３６が設けられる。
【００４０】
また、作業者が旋回軸６を回して、ボビン支持軸７を傾斜方向ないし水平方向に設定しようとするとき、旋回軸６のトルクは、ワイヤ３やボビン４の重量によって次第に大きくなる。そこで、旋回軸６に減速歯車装置、例えばウオームギヤを取り付け、このウオームギヤにウオームをかみ合わせ、ウオームをハンドルまたはモータで回転させれば、軽い力で旋回軸６を回せるようになり、しかもウオーム歯車機構の自動止まり作用によって、ボビン支持軸７の適当な傾斜位置または水平位置で停止できるようになる。
【００４１】
図４の取り付け態様においても、ボビン支持軸７の自由端が機台５に対し外向き状態に設定したときに、ボビン４の重心が機台５の外形端面より外側に位置しているか、あるいはボビン４の全部が機台５の外形端面より外側に位置しておれば、ボビン４の着脱に際して、すくい上げ式または吊り上げ式のリフターなどはボビン４の重心を機外から重心位置をつかみ易く、安定に支えられるから、ボビン４の着脱や運搬は能率良く安定に行えるようになる。
【００４２】
図１ないし図４の具体的な例は、旋回軸６にボビン支持軸７を回転自在に取り付け、ボビン支持軸７を介して、ボビン４を回転させるようにしている。しかし、ボビン４の回転機能は、図示しないが、旋回軸６にボビン支持軸７を回転不能の状態として固定し、ボビン支持軸７にスリーブ状軸を回転自在に挿入し、このスリーブ状軸を駆動モータ８で回転させて、スリーブ状軸に挿入されたボビン４を回転させる構造とすることもできる。
【００４３】
次に、図５ないし図９は、２台のワイヤボビン支持装置１を一対として利用し、ワイヤソー２の機台５に、一方を送り出し用Ａとし、他方を巻き取り用Ｂとして組み込み、ワイヤソーの送り出し・巻き取り装置３０を構成した例を示している。
【００４４】
まず、図５の例において、送り出し用Ａのワイヤボビン支持装置１および巻き取り用Ｂのワイヤボビン支持装置１は、ワイヤソー２の機台５の上に立設されたケーシング１０の外側で機台５に各ボビン支持軸７の向きを異にした状態で併置されている。各旋回軸６は互いに干渉しない範囲で接近した状態で機台５の上面に対し垂直方向に取り付けられ、機台５の垂直な外形面つまり側面に対してほぼ平行に配置されている。なお、ワイヤソー２の切断部において、複数のメインローラ３４の位置がワイヤソー２の正面であるから、メインローラ３４の間の大きな矢印の方向から見て、ワイヤボビン支持装置１は、機台５の右側後方に位置していることになる。
【００４５】
また、メインローラ３４へのワイヤ３の送り出し・メインローラ３４からのワイヤ３の巻き取り時に備えて、各ワイヤボビン支持装置１のボビン支持軸７は、機台５の右側の外形面に対して平行で水平方向に設定されている。
【００４６】
そして、送り出し側Ａのワイヤボビン支持装置１において、ボビン４のワイヤ３は、ボビン４の巻き胴の幅で往復移動するトラバースローラ３１、ワイヤ３の経路長の変動を許容しながらワイヤ３に目標の張力を付与する変位自在のテンションローラ３２および方向変更用の案内ローラ３３を経て、切断部の複数のメインローラ３４に所定のピッチ間隔で巻き付けられている。
【００４７】
また、切断部の複数のメインローラ３４から出たワイヤ３は、方向変更用の案内ローラ３３、ワイヤ３の経路長の変動を許容しながらワイヤ３に目標の張力を付与する変位自在のテンションローラ３２およびボビン４の巻き胴の幅で往復移動するトラバースローラ３１を経て、巻き取り用Ｂのワイヤボビン支持装置１に案内され、そこのボビン４に巻き取られる。
【００４８】
ボビン４の着脱に際して、各旋回軸６は、異なる方向に所定の角度、例えば９０度だけ旋回させられる。これによって、各ボビン支持軸７の自由端は、ケーシング１０の右側の外形面に対して外向き状態となるため、ボビン支持軸７に対するボビン４の挿入や抜き取りは、前記と同様に機外位置から容易に行える。
【００４９】
このようなワイヤ３の案内経路によると、トラバースローラ３１、テンションローラ３２および案内ローラ３３が合理的に配置できる。このため、方向変更用の案内ローラ３３の必要な個数が少なくなり、ワイヤ３の交差や干渉もなくなり、各ワイヤ３の張力制御も容易となる。
【００５０】
つぎに、図６の例において、２つの旋回軸６は、２つのボビン支持軸７の長さに相当する距離以上離して設けられ、ボビン支持軸７は、自由端を向き合う状態として、旋回軸６に対し向きを異にして設けられている。この例でも、ボビン４の着脱に際して、各旋回軸６は、異なる方向に所定の角度だけ旋回し、ボビン支持軸７の自由端を機台５の外形面に対し外向き状態とする。
【００５１】
さらに、図７および図８の例において、２つの旋回軸６は、１つのボビン支持軸７の長さに相当する距離以上離して設けられ、各ボビン支持軸７は、旋回軸６に対して自由端を同じ向きとして設けられている。なお、ボビン支持軸７の向きは、図７と図８とで逆になっている。ボビン４の着脱に際して、各旋回軸６は、同じ旋回方向に所定の角度だけ旋回して、ボビン支持軸７の自由端を機台５の外形面に対し外向き状態とする。
【００５２】
また、図９の例において、送り出し用Ａのワイヤボビン支持装置１および巻き取り用Ｂのワイヤボビン支持装置１は、ボビン４を水平としてワイヤソー２の機台５に対して上下に設置され、それらの各駆動モータ８のモータ出力軸は、ボビン支持軸７の支持側の端部に図示しない軸継ぎ手などの回転伝達手段によって連結されている。図９の例は、送り出し用Ａのワイヤボビン支持装置１の真下に巻き取り用Ｂのワイヤボビン支持装置１を配置しているが、それらは、図面上左右にずれていてもよく、また、それらのボビン支持軸７は、ともに図示と異なる向きでもよく、もちろん互いに向きを異ならせて配置することもできる。
【００５３】
図９の例によると、機台５の上下の空間が有効に利用でき、またリフターは、同じ作業位置で移動しないまま送り出し用Ａのボビン４および巻き取り用Ｂのボビン４の着脱を行えるようになる。図９の例においても、ボビン支持軸７の自由端が機台５に対し外向き状態に設定したとき、ボビン４の重心が機台５の外形端面より外側に位置すれば、ボビン４の着脱時にリフターなどがつかみ易く、安定した運搬が可能となる。
【００５４】
図５ないし図９の具体的な態様は、設置空間や旋回軸６の旋回方向の使い勝手を考慮して設定される。これらの例においても、駆動モータ８は、取り付け空間などに応じて適切な位置に取り付けられる。２台すなわち送り出し用Ａのワイヤボビン支持装置１および巻き取り用Ｂのワイヤボビン支持装置１は、ワイヤソー２の構成によってケーシング１０の右側に限らず、左側、あるいは背面側にも設けられる。また、ボビン支持軸７は、垂直な旋回軸６に対して正確な水平方向に限らず、やや上向き水平方向に近い状態として支持することもできる。
【００５５】
図５ないし図９の例において、送り出し用Ａのワイヤボビン支持装置１と巻き取り用Ｂのワイヤボビン支持装置１とは、入れ替わった状態として設置することもできる。また、図５ないし図９の例において、旋回軸６は、機台５に対して垂直方向に取り付けられており、ボビン支持軸７は、旋回の前後において水平となっている。
【００５６】
しかし、図５ないし図９の例においても、旋回軸６は、水平方向として機台５に取り付けることもできる。このような水平方向の取り付け態様によると、ボビン支持軸７は、ワイヤ３の送り出しおよび巻き取りのときに、通常、垂直方向すなわち垂直ないし垂直に近い方向に設定され、ボビン４の交換・使用済みワイヤ３の廃却のときに旋回軸６を中心とする例えば９０度程度の回転によって、水平ないし水平に近い状態に倒され、その自由端を機台５に対し外向き状態となり、ボビン４の着脱を容易にできるように設定される。このような旋回軸６の垂直方向の取り付け態様では、案内ローラ３３が少し多くなるが、機種によってはその取り付け態様が適合することもある。
【００５７】
さらに、図５ないし図９の例の送り出し用Ａのワイヤボビン支持装置１および巻き取り用Ｂのワイヤボビン支持装置１において、より好ましくは、旋回軸６を中心として旋回させ、ボビン支持軸７を外向き状態としたときに、ボビン４の全部が機台５の外形端面より外側に位置させるように配置すれば、例えばフオーク状のリフターによってボビン４の両端部を容易に把持することができ、外向き状態のボビン支持軸７に対するボビン４の取り外し、取り付けがより安定して行える。
【００５８】
旋回軸６の水平方向の取り付けの例では、旋回軸６に減速歯車装置（ウオームギヤ・ウオーム）を設け、ウオームをハンドルまたはモータで回転させれば、軽い力で旋回軸６を回せるようになり、しかもウオーム歯車機構の自動止まり作用によって、ボビン支持軸７の適当な傾斜位置または水平位置で停止できるようになる。
【産業上の利用可能性】
【００５９】
本発明のワイヤボビン支持装置１は、１本以上、例えば２本のワイヤ３をメインローラ３４に巻き掛け、２本のワイヤ３を使い分けて、ワークを切断する形式のワイヤソー２にも適用できるから、１台のワイヤソー２に一対に限らず、二対以上すなわち４台以上の偶数台設けられることもある。また１つの旋回軸６に対して複数、例えば２本のボビン支持軸７を平行に設け、２連式として構成することもできる。
【符号の説明】
【００６０】
１  ワイヤボビン支持装置
２  ワイヤソー
３  ワイヤ
４  ボビン
５  機台
６  旋回軸
７  ボビン支持軸
８  駆動モータ
９  軸部
１０  ケーシング
１１  軸受けハウジング
１２  モータベース
１３  ボールベアリング
１４  タイミングプーリ
１５  タイミングプーリ
１６  タイミングベルト
１７  受けフランジ
１８  押さえスプリング
１９  押さえボルト
２０  押さえワッシャ
２１  長孔
２２  案内ボルト
２３  ホルダ
２４  調節ねじ
２５  調節ナット
２６  モータ出力軸
２７  取り付けボルト
２８  固定片
２９  固定ボルト
３０  ワイヤソーの送り出し・巻き取り装置
３１  トラバースローラ
３２  テンションローラ
３３  案内ローラ
３４  メインローラ
３５  軸受け部
３６  ねじ孔
Ａ  送り出し用
Ｂ  巻き取り用
【図１】
2011101944.tif 000003
【図２】
2011101944.tif 000004
【図３】
2011101944.tif 000005
【図４】
2011101944.tif 000006
【図５】
2011101944.tif 000007
【図６】
2011101944.tif 000008
【図７】
2011101944.tif 000009
【図８】
2011101944.tif 000010
【図９】
2011101944.tif 000011
【手続補正書】
【提出日】平成22年9月24日(2010.9.24)
【手続補正１】
【補正対象書類名】図面
【補正対象項目名】図５
【補正方法】変更
【補正の内容】
【図５】
2011101944.tif 000012